(57)【要約】【課題】  所望する波長成分のレーザ光を選択的に得られ、しかも光学調整が簡単で、小型にして、価格的にも安価な走査型光学顕微鏡を提供する。【解決手段】  ２以上の波長帯で発振し、それぞれの波長成分を内包するレーザ光を出力するファイバレーザユニット１から出力される複数の波長を内包するレーザ光の中から、標本内の少なくとも１つの蛍光物質を励起する少なくとも１つの励起波長を選択する音響光学素子６を設け、この音響光学素子６で選択されたレーザ光をガルバノ８により標本１０上で走査するとともに、標本１０から発せられる蛍光を光電検出器１３，１５で検出する。【選択図】      図１
2005055745.tif 000002
【特許請求の範囲】
【請求項１】
２以上の波長帯で発振し、それぞれの波長成分を内包するレーザ光を出力するファイバレーザユニットと、
前記ファイバレーザユニットから出力される複数の波長成分を内包するレーザ光の中から、標本内の少なくとも１つの蛍光物質を励起する少なくとも１つの励起波長を選択するとともに任意の光量に調整可能にした光変調手段と、
前記光変調手段で選択されたレーザ光を標本上で走査する光走査手段と、
前記標本から発せられる蛍光を検出する少なくとも１つの光検出手段と
を具備したことを特徴とする走査型光学顕微鏡。
【請求項２】
光変調手段は、音響光学素子からなることを特徴とする請求項１記載の走査型光学顕微鏡。
【請求項３】
前記ファイバレーザユニットは、前記光走査手段および光検出手段とともにスキャナユニットを構成することを特徴とする請求項１記載の走査型光学顕微鏡。
【発明の詳細な説明】
【技術分野】
【０００１】
本発明は、標本に対して点光源からの光を２次元走査し、標本からの光を検出する走査型光学顕微鏡に関するものである。
【背景技術】
【０００２】
走査型光学顕微鏡は、点光源からの光を対物レンズにより標本上に集光させ、その集光点をスキャナを用いて光学的に２次元走査し、標本からの光を対物レンズを通して光検出器で検出し、２次元の画像情報を得るようにしている。
【０００３】
ところで、このような共焦点顕微鏡では、複数の蛍光色素を励起するような場合、励起波長域毎にレーザ光源を用意する必要があり、これら複数のレーザ光源からのレーザ光を走査光学系に導入し、それぞれ励起波長域毎に光学系を介して対物レンズより標本上に集光させるようにしている。
【０００４】
しかし、このような方法では光学系にばらつきがあると、標本上の集光位置にずれを発生することがあり、このずれを調整するのに精度の高い調整が必要となって、多大な手間と時間がかかってしまう。
【０００５】
そこで、従来、特許文献１に開示されるように複数のレーザ光源からのレーザ光を光路合成により１本の光ファイバに入射し、光ファイバからの出射光を顕微鏡本体に伝送するようにしたものが考えられている。
【特許文献１】特開２００２-２６７９３３号公報
【特許文献２】特開平１０−３３５７３４号公報
【発明の開示】
【発明が解決しようとする課題】
【０００６】
ところが、このように構成された顕微鏡の点光源には、アルゴンレーザやヘリウムネオンレーザ等のレーザ光源が用いられているが、これらガスレーザは、数種類の波長のレーザ光を一軸上で出射できる反面、ガスを封入してあるため、ガスの経時劣化や特定波長の出力変動が生じやすく、また、発熱を抑制するため設けられる水冷、空冷による振動が原因する発振の不安定や、筐体が大型であるため、設置スペースが大きくなるなどの問題があった。
【０００７】
また、ガスレーザに代わって単一波長発振のレーザ光源を用いたものもあるが、多重染色を行なう場合は、レーザ光源を複数並べることになり、この場合も、同軸上に光を置くための光軸調整に高い精度を要求され、高価な微動機構を必要とし、また、振動などの外乱に弱く、さらに、光ファイバを介して光軸を合わせるとしても、ファイバでの光伝送損失は免れず、さらに設置スペースを多く必要とするという問題があった。
【０００８】
本発明は、上記事情に鑑みてなされたもので、所望する波長成分のレーザ光を選択的に得られ、しかも光学調整が簡単で、小型にして、価格的にも安価な走査型光学顕微鏡を提供することを目的とする。
【課題を解決するための手段】
【０００９】
請求項１記載の発明は、２以上の波長帯で発振し、それぞれの波長成分を内包するレーザ光を出力するファイバレーザユニットと、前記ファイバレーザユニットから出力される複数の波長を内包するレーザ光の中から、標本内の少なくとも１つの蛍光物質を励起する少なくとも１つの励起波長を選択するとともに任意の光量に調整可能にした光変調手段と、前記光変調手段で選択されたレーザ光を標本上で走査する光走査手段と、前記標本から発せられる蛍光を検出する少なくとも１つの光検出手段とを具備したことを特徴としている。
【００１０】
請求項２記載の発明は、請求項１記載の発明において、光変調手段は、音響光学素子からなることを特徴としている。
【００１１】
請求項３記載の発明は、請求項１記載の発明において、前記ファイバレーザユニットは、前記光走査手段および光検出手段とともにスキャナユニットを構成することを特徴としている。
【発明の効果】
【００１２】
本発明によれば、２種類以上の蛍光色素を励起するための２種類以上の励起波長を内包するレーザ光を一つの出射口から出力することが可能なファイバレーザユニットを用いることにより、各レーザ光の光軸のずれを生じることがなくなり、光学調整に要する面倒な作業に要する手間と時間を無くすことができる。また、精度の高い光軸調整のための高価な微動機構を使用する必要もないので、価格的にも安価にでき、さらに、出力変動の少ない安定したレーザ光を確保できるとともに、設置スペースも最小限に抑えることができる。
【００１３】
また、光変調手段を用いて、ファイバレーザユニットから出力される複数の波長を内包するレーザ光の中から、標本内の少なくとも１つの蛍光物質を励起する少なくとも１つの励起波長を選択するようにしているので、標本に多重染色された蛍光色素に応じて最適な波長成分のレーザ光を選択的に使用することができる。
【００１４】
さらに、ファイバレーザユニットを光走査手段および光検出手段とともにスキャナユニット内部に組み込む構成として、全体をコンパクト化し、スキャンユニット内部での光路を極力短く設定することができるので、光学的損失を最小限にして良好な画像情報を取得することができる。
【発明を実施するための最良の形態】
【００１５】
以下、本発明の一実施例を図面に従い説明する。
【００１６】
図１は、本発明が適用される走査型光学顕微鏡の概略構成を示している。
【００１７】
図１において、１はファイバレーザユニットで、このファイバレーザユニット１は、カスケード発振方式により２以上の波長帯で発振し、それぞれの波長成分を内包する１つのレーザ光を発生するものである。つまり、ファイバレーザユニット１は、光ファイバ３を具備している。この光ファイバ３の一方端には、全反射素子であるダイクロイックミラー４が接合されている。また、このダイクロイックミラー４を介して励起光発光手段であるレーザダイオード２が接続されている。さらに、光ファイバ３の他方端には、他の全反射素子であるダイクロイックミラー５が接合されている。
【００１８】
レーザダイオード２は、ある特定の波長のレーザ光を発するもので、このレーザ光を光ファイバ３に入射するようにしている。ダイクロイックミラー４は、レーザダイオード２から発生するある特定の波長の光線を高効率に透過するが、光ファイバ３で共振される発振波長の光線を高効率に一律に反射するようにしている。ダイクロイックミラー５は、ダイクロイックミラー４と対となってレーザ発振器を構成するもので、光ファイバ３の他方端において、フレネル反射を行うようにしている。
【００１９】
なお、ファイバレーザユニット１の基本構造および原理は、特許文献２に開示されている。
【００２０】
このようなファイバレーザユニット１は、一つの出射口から、複数の波長成分を内包する１つのレーザ光を出力する。この場合、ファイバレーザユニット１から出射されるレーザ光の波長成分は、例えば、４９１ｎｍ、６３５ｎｍの複数の波長を内包しているものとする。
【００２１】
ファイバレーザユニット１から出射されるレーザ光の光路、ここでは、ファイバレーザユニット１の一つの出射口には、光変調手段として、ＡＯＴＦなどの音響光学素子６が配置されている。音響光学素子６は、ファイバレーザユニット１から出射される複数の波長を内包するレーザ光の中から、任意の波長のものを選択するとともに、任意の光量に調整可能にしている。なお、音響光学素子６に代えて、波長選択フィルタや出力調整フィルタなどを用いてもよい。
【００２２】
音響光学素子６から出射されるレーザ光の光路には、励起ダイクロイックミラー７が配置されている。この場合、励起ダイクロイックミラー７は、例えば、図２に示すように４９１ｎｍ近傍及び６３５ｎｍ近傍の波長を励起光として反射するが、これら４９１ｎｍ及び６３５ｎｍの励起光により励起される蛍光波長を透過するような特性を有している。
【００２３】
励起ダイクロイックミラー７の励起光の反射光路には、光走査手段としてのガルバノ８が配置されている。このガルバノ８は、励起ダイクロイックミラー７で反射された励起光を、例えば２次元方向に走査し、顕微鏡本体９へ入射するようにしている。そして、顕微鏡本体９は、２次元走査される励起光を標本１０に照射するようにしている。
【００２４】
この場合、標本１０には、２種類の蛍光色素に染色されているものとし、これら蛍光色素は、照射される励起光のそれぞれの励起波長よりわずかに長い蛍光波長を発する。例えば、Ｃｙ２からなる蛍光色素は、図３（ａ）に示す４９１ｎｍの光で励起される励起特性を有するとともに、同図（ｂ）に示す５１０ｎｍ近傍の蛍光を発するような蛍光特性を有している。また、Ｃｙ５からなる蛍光色素は、図４（ａ）に示す６３５ｎｍの光で励起される励起特性を有するとともに、同図（ｂ）に示す６６６ｎｍ近傍の蛍光を発するような蛍光特性を有している。
【００２５】
標本１０から発せられた２種類の波長を含む蛍光は、上述の光路を逆に辿り、顕微鏡本体９、ガルバノ８を通って励起ダイクロイックミラー７に入る。
【００２６】
励起ダイクロイックミラー７の蛍光の透過光路には、共焦点ピンホール１１および分光ダイクロイックミラー１２が配置されている。
【００２７】
共焦点ピンホール１１は、顕微鏡本体９の不図示の対物レンズの焦点と光学的に共役な位置に配置され、標本１０からの蛍光のうち合焦の成分を通過させるが、非合焦の成分を透過できないようにしている。分光ダイクロイックミラー１２は、共焦点ピンホール１１を通過した蛍光を分光するもので、例えば、図５に示すように、５１０ｎｍ近傍の波長を透過し、６６６ｎｍ近傍の波長を反射するような波長特性を有している。
【００２８】
分光ダイクロイックミラー１２を透過した蛍光の光路には、光検出手段としての光電検出器１３が配置され、また、分光ダイクロイックミラー１２を反射した蛍光の光路には、反射ミラー１４および光電検出器１５が配置されている。
【００２９】
光電検出器１３、１５は、受光した蛍光を光電変換し、その後、各波長ごとの蛍光を画像化する。
【００３０】
このように構成される各部材は、スキャンユニット１６として一体化されている。
【００３１】
次に、このように構成された実施例の作用を説明する。
【００３２】
いま、ファイバレーザユニット１より、例えば４９１ｎｍ、６３５ｎｍを含む３〜５種類の波長成分を内包したレーザ光が発生すると、音響光学素子６により、例えば４９１ｎｍ、６３５ｎｍの２種類の波長のものが任意の光量に調整して出力される。
【００３３】
そして、励起ダイクロイックミラー７で反射し、ガルバノ８で、例えば２次元方向に走査され、顕微鏡本体９より２種類以上の蛍光色素で染色された標本１０に照射される。
【００３４】
これにより、標本１０は、照射される励起光のそれぞれの励起波長よりわずかに長い蛍光波長を発する。この場合、標本１０を染色する蛍光色素としてＣｙ２、Ｃｙ５が用いられていると、Ｃｙ２は、４９１ｎｍの励起光により、５１０ｎｍ近傍の蛍光が発せられ、また、Ｃｙ５は、６３５ｎｍの励起光により、６６６ｎｍ近傍の蛍光が発せられるようになる。
【００３５】
これら２種類の波長を含む蛍光は、顕微鏡本体９、ガルバノ８を通り励起ダイクロイックミラー７に入射し、今度は、励起ダイクロイックミラー７を透過し、共焦点ピンホール１１に入射する。そして、共焦点ピンホール１１で合焦成分の蛍光が通過し、分光ダイクロイックミラー１２に入射し、波長ごとに分光された後、光電検出器１３，１５で受光され、光電変換され、それぞれの波長ごとに画像化される。
【００３６】
従って、このようにすると、２種類以上の蛍光色素を励起するための２種類以上の励起波長を内包するレーザ光を一つの出射口から出力することが可能なファイバレーザユニット１を用いることにより、従来の複数のレーザ光源を用いたものと比べて、各レーザ光の光軸のずれを生じることがなくなり、光学調整に要する面倒な作業に要する手間と時間を無くすことができる。また、精度の高い光学調整のための高価な微動機構を使用する必要もないので、価格的にも安価にできる。さらに、複数のガスレーザを並べて用いたものに比べ、出力変動の少ない安定したレーザ光を確保できるとともに、設置スペースも最小限に抑えることができる。
【００３７】
また、ファイバレーザユニット１の一つの出射口に音響光学素子６を配置し、ファイバレーザユニット１から出射される複数の波長を内包するレーザ光の中から、標本１０内の蛍光物質を励起するための励起波長を選択するとともに、任意の光量に調整できるようにしているので、標本１０に多重染色された蛍光色素に応じて最適な波長成分のレーザ光を選択的に出力することができる。
【００３８】
さらに、ファイバレーザユニット１をスキャンユニット１６内部に組み込む構成とし、全体をコンパクト化し、スキャンユニット１６内部での光路を極力短く設定することができるので、光学的損失を最小限にできることから良好な画像を取得することができる。
【００３９】
なお、本発明は、上記実施の形態に限定されるものでなく、実施段階では、その要旨を変更しない範囲で種々変形することが可能である。
【００４０】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００４１】
【図１】本発明の一実施例が適用される走査型光学顕微鏡の概略構成を示す図。
【図２】一実施例に用いられる励起ダイクロイックミラーの特性を説明する図。
【図３】一実施例に用いられるＣｙ２からなる蛍光色素の波長特性を説明する図。
【図４】一実施例に用いられるＣｙ５からなる蛍光色素の波長特性を説明する図。
【図５】一実施例に用いられる分光ダイクロイックミラーの特性を説明する図。
【符号の説明】
【００４２】
１…ファイバレーザユニット
２…レーザダイオード
３…光ファイバ
４、５…ダイクロイックミラー
６…音響光学素子
７…励起ダイクロイックミラー
８…ガルバノ
９…顕微鏡本体
１０…標本
１１…共焦点ピンホール
１２…分光ダイクロイックミラー
１３．１５…光電検出器
１４…反射ミラー
１６…スキャンユニット
【図１】
2005055745.tif 000003
【図２】
2005055745.tif 000004
【図３】
2005055745.tif 000005
【図４】
2005055745.tif 000006
【図５】
2005055745.tif 000007